(57)【要約】【課題】洗濯物の物干し竿の持ち上げ及び引き下げを低位置でのワイヤーの昇降操作によって軽快に行う。【解決手段】左右支持アーム間に亘り、而も下位に位置する物干し竿の左右端を、夫々ワイヤーにて懸架すると共に、このワイヤーを前記支持アームに装着された複数の吊下具を介して垂下させ、このワイヤーの下端の上下動操作によって、前記物干し竿を低位置にて上下に昇降させる。【選択図】    図１
2005040568.tif 000002
【特許請求の範囲】
【請求項１】
家屋外壁より前方に突出する左右支持アームと、この左右支持アーム間に亘って下位に位置する物干し竿と、この物干し竿の左右端を夫々懸架するワイヤーとよりなり、該左右ワイヤーを前記支持アームに装着された複数の吊下具を介して支持アームから家屋外壁に沿わせて垂下すると共に、而もワイヤーの下端に装備された把手の上下動操作によって、前記物干し竿を上下に昇降させることを特徴とする物干し装置。
【請求項２】
左右支持アームは、家屋外壁に基端固定のメーンアームと、このメーンアームに支持されると共に複数の吊下具を装着するサブアームとすることを特徴とする請求項１記載の物干し装置。
【請求項３】
左右支持アームは、家屋外壁に固定される基端側左右幅間に比し先端側左右幅間を狭小とすることを特徴とする請求項１記載の物干し装置。
【請求項４】
物干し竿は、平行して複数本左右支持アーム間に亘って位置し、物干し竿を夫々個別にワイヤーにて懸架することを特徴とする請求項１記載の物干し装置。
【請求項５】
降雨による電気的変化によって警報回路を動作させる降雨感知システムを有することを特徴とする請求項１〜４記載の物干し装置。
【請求項６】
降雨感知システムは、その降雨時モーター回路を動作させ、左右支持アームの上部に装架したテントを張出することを特徴とする請求項１〜５記載の物干し装置。
【発明の詳細な説明】
【発明の詳細な説明】
【技術分野】
【０００１】  本発明は、殊に家庭の主婦が日当りの良い高所への干し物の持ち上げと、更に低位置にて干し物の収納ができる様、上下に昇降可能とした物干し装置に関する。
【背景技術】
【０００２】  元来、わが国の住宅事情は古今東西共通しており、隣接家屋との空間が狭いことから、日射を考慮し洗濯物は物干し竿と共に高所に持ち上げ、更にはその後の物干し竿の低位置への引き下げ、収納をしているのが現状である。
この作業は家庭の主婦にとって欠かせない日常の仕事であり、特に、高齢化が一層顕在化する中で、これらにかかわる仕事が非常な重荷になってくることが予想される。
【発明が解決しようとする課題】
【０００３】  本発明の目的は洗濯物の物干し竿の持ち上げ及び引き下げを低位置でのワイヤーの昇降操作によって軽快に行えることとし、家庭の主婦の作業軽減化と、併せて高齢化への対応も図ろうとするものである。
【課題を解決するための手段】
【０００４】  上記問題点を解決するため本発明では、左右支持アーム間に亘り、而も下位に位置する物干し竿の左右端を、夫々ワイヤーにて懸架すると共に、このワイヤーを前記支持アームに装着された複数の吊下具を介して垂下させ、このワイヤーの下端の上下動操作によって、前記物干し竿を低位置にて上下に昇降させる物干し装置。
【発明を実施するための最良の形態】
【０００５】  以下本発明の実施の形態を示す図面に基づき説明する。
図１は物干し装置全体を示す斜視図である。図に示す左右支持アーム１，１は家屋外壁Ｈより前方に突出する。具体的にはメーンアーム２，２と、下位に位置するサブアーム３，３とよりなり、メーンアーム２，２は基端を取付金具４，４に固定され、この取付金具４，４が家屋外壁Ｈに取付けられる。勿論、家屋外壁Ｈに直接取付けることなく、外壁Ｈに沿って直立する支柱に固定し、前方に突出させてもよい。更に左右支持アーム１，１は、家屋外壁Ｈ側、即ちに基端側左右幅間Ｘに比し先端側左右幅間Ｙを狭小とし、同一幅に比し風に対する横振れを軽減している。
サブアーム３，３は金具５，５にてメーンアーム２，２に連結されている。勿論、メーンアーム２，２の強度を高にものを用いることによってサブアーム３，３を不要とすることもできる。【０００６】  サブアーム３，３間に亘っては下位に物干し竿６が位置する。
而して実施例図においては、平行した２本が存在し、連結バー７，７と一体化されている。勿論、これは干し物Ｔの量によって選択する。物干し竿６，６は、その左右端を夫々ワイヤー８，８にて懸架されるが、具体的には連結バー７，７に一端８ａ，８ａを固定を固定し、サブアーム３，３に夫々装着された複数の吊下具９，９からサブアーム３，３に平行して家屋外壁Ｈ側に至り、更に基端よりの吊下具１０，１０，１０にて家屋外壁Ｈに沿って垂下する。ワイヤー８，８の下端は結束されて把手１１に連なり、その把手１１の上下動操作によって、ワイヤー８，８を介して物干し竿６を上下に昇降させる。更にこの上下動操作をより軽快にするため、バランサー１２を把手１１から引出し、このバランサー１２と干し物との重量の相殺によって、把手１１の上下動操作が軽快に行える。
吊下具９，９は実施例においては滑車としているがワイヤー８，８を懸架すればよく、リング等でもよい。
把手１１はストッパー１３によって、その引出紐１１ａの長さを加減し上下位置を調整できる。【０００７】  図４は、降雨による電気的変化によって警報回路を動作させる感知器を示す斜視図、図５は分解斜視図である。図に示す上下の多孔質のメタル板１４，１４は電気的絶縁をなす。具体的にはメタル板１４，１４をステンレス、アルミ等の防錆に優れた金属製のパンチングボード、或いはメッシュボード等の多孔質とし、上下間に絶縁リング１５を介してボルト、ナット等の緊締具１６にて一定間隔を置いて対面させる。
更に、このメタル板１４，１４は同様に防錆に優れた金属製の上下四周枠１７，１７、更には絶縁中枠１８にて保持され緊締具１６と共に一体化する。この上側のメタル板１４は開閉自在なカバー１９にて覆われており、干し物を出さない時はカバー１９を閉じ状態１９ａ、とし、不要な感知器の動作を防ぐ、更にカバー１９は、その開き角度の調整によって雨水を多く吸収すると共に、メタル板１４の集雨に加え注ぎ込み、動作を速める。【０００８】  図６は、警報回路であり、同図（イ）は感知回路で、メタル板１４，１４は、電源Ｅ１にトランス１９を介してリレー２０と共に接続される。電源Ｅ１にはその電源スイッチ２１、電源表示ランプ２２が夫々接続されている。
降雨により、メタル板１４，１４は多孔質のため、雨水Ｒが流れ込み電気的に短絡状態となってリレー２０がオンとなる。
而して、上側のメタル板１４から下側のメタル板１４に雨水が流れ込めばよいのであって、下側のメタル板１４は多孔質でなくてもよく、メタル板でありばよい。
同図（ロ）はブザー回路で、リレー２０の第１リレー接点２０ａがブザー２１と共に電源Ｅ２に接続されている。ブザー２１の鳴動時間はタイマー２２によって設定される。第１タイマー接点２２ａは前記ブザー２１に直列接続される。また、同様に動作表示ランプ２３も接続されている。同図（ハ）は降雨時のテントＰの張出及び晴天時の巻込用の駆動モーター回路で、前記リレー２０の第２リレー接点２０ｂはテントＰの操作スイッチ２４と共に、電源Ｅ３に接続されている。この操作スイッチ２４はテントＰの駆動モータ２５に接続され、例えば第１接点２４ａへの操作によって、モータ２５をテントＰの巻込に駆動させる。更に第２接点２４ｂへの切替によって、モータ２５をテントＰの張出に駆動させる。この第２接点２４ｂには前記タイマー２２の第２タイマー接点２２ｂが接続されている。【０００９】  次に本発明の動作を説明する。
先ず、図２において、実線の物干し竿６，６が上側に持ち上げられている。この位置より下ろしたい場合は、把手１１を持ち上げれば、ワイヤー８，８が物干し竿６，６を仮想線にて示す如く降下させる。この降下は干し物Ｔ、物干し竿６，６等の自重による。
続いて干し物Ｔを持ち上げる場合は、把手１１を引き下げればワイヤー８，８を介して物干し竿６，６が持ち上げる。
この作業は、このバランサー１２によって干し物Ｔ、物干し竿６，６との重量の相殺によって、把手１１の上下動操作が軽快に行える。【００１０】  次に降雨時について説明すると、図６において、雨水Ｒがメタル板１４，１４に降り注ぎ、流れ込んで短絡状態となる。而して同図（イ）において、リレー２０がオン状態となって同図（ロ）の第１リレー接点２０ａが閉じ、タイマー２２が一定時間動作して第１タイマー接点  ２２ａが閉じる。これによりブザー２１が一定時間鳴動する。続いて、同図（ハ）において、第２リレー接点２０ｂも閉じているから、操作スイッチ２４を第２接点２４ｂに操作すれば、モータ２５をテントＰの張出に駆動させる。
更に、晴天時でのテントＰの巻き込みは、同図（ハ）において、操作スイッチ２４を第２接点２４ａに操作すれば、モータ２５をテントＰの巻込みに駆動させる。
【発明の効果】
【００１１】  本発明は以上の通りであり、家屋外壁Ｈより前方に突出する左右支持アーム１，１間に亘り、而も下位に位置する物干し竿６の左右端を、夫々ワイヤー８，８にて懸架すると共に、この左右ワイヤー８，８を前記支持アーム１，１に装着された複数吊下具１０，１０，１０を介して家屋外壁Ｈに沿わせて垂下させ、このワイヤー８，８の下端に装備された把手１１の上下動操作によって、前記物干し竿６を上下に昇降させるようにしたから、洗濯物Ｔの持ち上げ及び引き下げを低位置でのワイヤーの昇降操作によって軽快に行えることができ、家庭の主婦の作業の軽減化が図られ、特に高齢者においても洗濯物干しが苦にならなくなる。
【００１２】  更に、左右支持アーム１，１は、家屋外壁Ｈに固定される基端側左右幅間Ｘに比し先端側左右幅間Ｙを狭小としたから、同一幅に比し風に対する横振れが少なくなる。
また、降雨時、屋外に設置された感知器の電気的変化によって警報回路を動作させて、降雨への注意喚起と、併せてその降雨時モーター回路の動作によって、左右支持アーム１，１の上部に装架したテントＰの張出し、その後の晴天時のテントＰの巻込みを容易に行える。
【図面の簡単な説明】
【図１】  本発明の物干し装置全体を示す斜視図
【図２】  同物干し装置の構成を示す機構側面図
【図３】  同物干し装置の構成を示す機構平面図
【図４】  同物干し装置の降雨感知器を示す斜視図
【図５】  同物干し装置の降雨感知器を示す分解斜視図
【図６】  同物干し装置の降雨警報回路図
【符号の説明】
Ｈ    家屋外壁
Ｔ    洗濯物
Ｐ    テント
１    左右支持アーム
６    物干し竿
８    左右ワイヤー
１０  吊下具
１１  把手
【図１】
2005040568.tif 000003
【図２】
2005040568.tif 000004
【図３】
2005040568.tif 000005
【図４】
2005040568.tif 000006
【図５】
2005040568.tif 000007
【図６】
2005040568.tif 000008